【事件の表示】
　国際登録第１２７７０３９号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「Ｋａｌｉｂｒｉ」の欧文字を書してなり、第９類及び第２８類に属する日本国を指定する国際登録において指定された商品を指定商品として、２０１５年（平成２７年）６月１１日に国際商標登録出願されたものである。
　その後、指定商品については、当審における２０１７年（平成２９年）４月１０日付けで国際登録簿に記録された限定の通報があった結果、第９類「Ａｐｐａｒａｔｕｓ，ｅｑｕｉｐｍｅｎｔ　ａｎｄ　ｉｎｓｔｒｕｍｅｎｔｓ　ｆｏｒ　ｒｅｃｏｒｄｉｎｇ　ｏｒ　ｒｅｐｒｏｄｕｃｔｉｏｎ　ｏｆ　ｄａｔａ，ｓｏｕｎｄ，ｉｍａｇｅｓ，ｔｅｘｔ　ａｎｄ　ｉｍａｇｅ　ｍａｔｅｒｉａｌ；ａｐｐａｒａｔｕｓ，ｅｑｕｉｐｍｅｎｔ　ａｎｄ　ｉｎｓｔｒｕｍｅｎｔｓ　ｆｏｒ　ｔｈｅ　ｓｔｏｒａｇｅ　ｏｆ　ｄａｔａ，ｓｏｕｎｄ，ｉｍａｇｅｓ，ｔｅｘｔ　ａｎｄ　ｐｉｃｔｕｒｅｓ；ｐｏｗｅｒ　ｓｕｐｐｌｙ　ａｐｐａｒａｔｕｓ　ａｎｄ　ｅｑｕｉｐｍｅｎｔ；ｌａｐｔｏｐ　ａｄａｐｔｏｒｓ；ｃｅｌｌ　ｐｈｏｎｅ　ｂａｔｔｅｒｉｅｓ；ｅｌｅｃｔｒｏｎｉｃ　ｃｈａｒｇｅｒｓ　ａｎｄ　ｅｑｕｉｐｍｅｎｔ；ｃｏｍｐｕｔｅｒ　ｂａｔｔｅｒｉｅｓ；ｂａｔｔｅｒｉｅｓ　ｆｏｒ　ｌａｐｔｏｐｓ；ｂａｔｔｅｒｉｅｓ　ｆｏｒ　ｃｅｌｌｕｌａｒ　ｐｈｏｎｅｓ；ｂａｔｔｅｒｉｅｓ　ｆｏｒ　ｃａｍｅｒａｓ；ｂａｔｔｅｒｉｅｓ　ｆｏｒ　ｄｉｇｉｔａｌ　ｃａｍｅｒａｓ；ｂａｔｔｅｒｉｅｓ　ｆｏｒ　ｃａｍｃｏｒｄｅｒｓ；ｂａｔｔｅｒｉｅｓ　ｆｏｒ　ｄｉｇｉｔａｌ　ｃａｍｃｏｒｄｅｒｓ；ｂａｔｔｅｒｉｅｓ　ｆｏｒ　ｈｏｕｓｅｈｏｌｄ　ａｐｐｌｉａｎｃｅｓ；ｂａｔｔｅｒｉｅｓ　ｆｏｒ　ｐｏｗｅｒ　ｔｏｏｌｓ；ｃｏｍｐｕｔｅｒ　ａｃｃｅｓｓｏｒｉｅｓ，ｌａｐｔｏｐ　ｃｏｍｐｕｔｅｒｓ，ｔａｂｌｅｔ　ｐｃｓ，ｍｏｂｉｌｅ　ｐｈｏｎｅｓ，ｃａｍｅｒａｓ，ｄｉｇｉｔａｌ　ｃａｍｅｒａｓ，ｃａｍｃｏｒｄｅｒｓ；ｃｏｍｐｕｔｅｒｓ　ａｎｄ　ｔｈｅｉｒ　ａｃｃｅｓｓｏｒｉｅｓ；ｄｅｓｋｔｏｐ　ｃｏｍｐｕｔｅｒｓ；ｐｅｒｓｏｎａｌ　ｃｏｍｐｕｔｅｒｓ；ｌａｐｔｏｐ　ｃｏｍｐｕｔｅｒｓ；ｔａｂｌｅｔ　ｐｃｓ；ｐｅｒｉｐｈｅｒａｌｓ　ａｄａｐｔｅｄ　ｆｏｒ　ｕｓｅ　ｗｉｔｈ　ｃｏｍｐｕｔｅｒｓ；ｍｏｎｉｔｏｒｓ；ｋｅｙｂｏａｒｄｓ；ｍｉｃｅ；ｍｏｕｓｅ　ｐａｄｓ；ｃａｍｅｒａｓ　ｆｏｒ　ｕｓｅ　ｗｉｔｈ　ｃｏｍｐｕｔｅｒｓ；ｌｏｕｄｓｐｅａｋｅｒｓ；ｗｉｒｅｌｅｓｓ　ｓｐｅａｋｅｒｓ；ｍｉｃｒｏｐｈｏｎｅｓ；ｃａｓｅｓ　ａｄａｐｔｅｄ　ｆｏｒ　ｃｏｍｐｕｔｅｒｓ，ｌａｐｔｏｐ　ｃｏｍｐｕｔｅｒｓ，ｔａｂｌｅｔ　ｐｃｓ，ｍｏｂｉｌｅ　ｐｈｏｎｅｓ，ｃａｍｅｒａｓ，ｄｉｇｉｔａｌ　ｃａｍｅｒａｓ，ｃａｍｃｏｒｄｅｒｓ；ｃａｓｅｓ　ａｄａｐｔｅｄ　ｆｏｒ　ｃｏｍｐｕｔｅｒｓ；ｃｈａｒｇｅｒｓ　ｆｏｒ　ｐｅｒｓｏｎａｌ　ｃｏｍｐｕｔｅｒｓ；ｃｈａｒｇｅｒｓ　ｆｏｒ　ｔａｂｌｅｔ　ｃｏｍｐｕｔｅｒｓ；ｓｔａｎｄｓ　ｉｎｃｏｒｐｏｒａｔｉｎｇ　ｃｈａｒｇｅｒｓ；ｓｔａｎｄｓ　ｉｎｃｏｒｐｏｒａｔｉｎｇ　ｃｈａｒｇｅｒｓ　ｆｏｒ　ｔａｂｌｅｔ　ｃｏｍｐｕｔｅｒｓ；ｃｏｎｎｅｃｔｉｏｎ　ｄｅｖｉｃｅｓ　ｆｏｒ　ｕｓｅ　ｉｎ　ｆｕｎｃｔｉｏｎ　ｅｎｈａｎｃｅｍｅｎｔ　ｏｆ　ｐｅｒｓｏｎａｌ　ｃｏｍｐｕｔｅｒｓ；ｃｏｎｎｅｃｔｉｏｎ　ｄｅｖｉｃｅｓ　ｆｏｒ　ｕｓｅ　ｉｎ　ｆｕｎｃｔｉｏｎ　ｅｎｈａｎｃｅｍｅｎｔ　ｏｆ　ｔａｂｌｅｔ　ｃｏｍｐｕｔｅｒｓ；ｃｏｎｎｅｃｔｉｏｎ　ｄｅｖｉｃｅｓ　ｆｏｒ　ｕｓｅ　ｉｎ　ｆｕｎｃｔｉｏｎ　ｅｎｈａｎｃｅｍｅｎｔ　ｏｆ　ｌａｐｔｏｐｓ；ｃｏｎｎｅｃｔｉｏｎ　ｄｅｖｉｃｅｓ　ｆｏｒ　ｕｓｅ　ｉｎ　ｆｕｎｃｔｉｏｎ　ｅｎｈａｎｃｅｍｅｎｔ　ｏｆ　ｔａｂｌｅｔ　ｃｏｍｐｕｔｅｒｓ；ｄａｔａ　ｓｔｏｒａｇｅ　ｄｅｖｉｃｅｓ；ｍｅｍｏｒｙ　ｃａｒｄｓ；ＣＤ−ＲＯＭｓ；ｔｅｌｅｐｈｏｎｅｓ　ａｎｄ　ｔｅｌｅｐｈｏｎｅ　ｉｎｓｔｒｕｍｅｎｔｓ；ｔｅｌｅｐｈｏｎｅｓ；ｍｏｂｉｌｅ　ｔｅｌｅｐｈｏｎｅ　ａｐｐａｒａｔｕｓ　ａｎｄ　ｉｎｓｔｒｕｍｅｎｔｓ；ｈａｎｄｓ　ｆｒｅｅ　ｋｉｔｓ　ｆｏｒ　ｐｈｏｎｅ；ｓｔａｎｄｓ　ｆｏｒ　ｍｏｂｉｌｅ　ｐｈｏｎｅｓ；ｍｏｂｉｌｅ　ｔｅｌｅｐｈｏｎｅ　ｃｈａｒｇｅｒｓ；ｓｔａｎｄｓ　ｉｎｃｏｒｐｏｒａｔｉｎｇ　ｃｈａｒｇｅｒｓ　ｆｏｒ　ｍｏｂｉｌｅ　ｐｈｏｎｅｓ；ｐａｒｔｓ　ａｎｄ　ｆｉｔｔｉｎｇｓ　ｆｏｒ　ａｌｌ　ｔｈｅ　ａｆｏｒｅｓａｉｄ；ａｐｐａｒａｔｕｓ　ａｎｄ　ｉｎｓｔｒｕｍｅｎｔｓ　ｆｏｒ　ｃｏｎｄｕｃｔｉｎｇ，ｓｗｉｔｃｈｉｎｇ，ｔｒａｎｓｆｏｒｍｉｎｇ，ａｃｃｕｍｕｌａｔｉｎｇ，ｒｅｇｕｌａｔｉｎｇ　ｏｒ　ｃｏｎｔｒｏｌｌｉｎｇ　ｅｌｅｃｔｒｉｃｉｔｙ；ａｐｐａｒａｔｕｓ　ｆｏｒ　ｒｅｃｏｒｄｉｎｇ，ｔｒａｎｓｍｉｓｓｉｏｎ　ｏｒ　ｒｅｐｒｏｄｕｃｔｉｏｎ　ｏｆ　ｓｏｕｎｄ　ｏｒ　ｉｍａｇｅｓ；ｍａｇｎｅｔｉｃ　ｄａｔａ　ｃａｒｒｉｅｒｓ；ｃｏｍｐｕｔｅｒ　ｈａｒｄｗａｒｅ　ａｎｄ　ｃｏｍｐｕｔｅｒ　ｆｉｒｍｗａｒｅ；ｔａｂｌｅ　ｃｏｍｐｕｔｅｒｓ；ｃｏｍｐｕｔｅｒ　ｓｏｆｔｗａｒｅ；ｐｈｏｔｏｇｒａｐｈｉｃ　ａｐｐａｒａｔｕｓ　ａｎｄ　ｃａｍｅｒａｓ；ｔｅｌｅｖｉｓｉｏｎ　ａｐｐａｒａｔｕｓ；ｅｌｅｃｔｒｏｎｉｃ　ｐｕｂｌｉｃａｔｉｏｎｓ，ｄｏｗｎｌｏａｄａｂｌｅ；ｃｏｍｐａｃｔ　ｄｉｓｃｓ；ｐｒｅ−ｒｅｃｏｒｄｅｄ　ｍｅｄｉａ；ｒｅｃｏｒｄｉｎｇ　ｄｉｓｃｓ；ｄｏｗｎｌｏａｄａｂｌｅ　ｄｉｇｉｔａｌ　ｍｕｓｉｃ；ｔｅｌｅｃｏｍｍｕｎｉｃａｔｉｏｎｓ　ａｐｐａｒａｔｕｓ；ａｕｄｉｏｖｉｓｕａｌ　ｓｙｓｔｅｍｓ　ａｎｄ　ａｐｐａｒａｔｕｓ；ｍｏｕｓｅ　ｍａｔｓ；ｃｅｌｌｕｌａｒ　ｔｅｌｅｐｈｏｎｅ　ａｃｃｅｓｓｏｒｉｅｓ；ｃａｒｄ　ｒｅａｄｅｒｓ；ｗｅｂ−ｃａｍｅｒａｓ；ｂａｔｔｅｒｉｅｓ；ｒａｄｉｏ　ｔｒａｎｓｍｉｔｔｅｒｓ；ｄｏｎｇｌｅｓ；ｍｏｕｎｔｓ　ａｎｄ　ｓｔａｎｄｓ　ａｄａｐｔｅｄ　ｆｏｒ　ｅｌｅｃｔｒｏｎｉｃ　ｄｅｖｉｃｅｓ；ＭＰ３　ｐｌａｙｅｒｓ；ｅｌｅｃｔｒｏｎｉｃ　ｎｏｔｅｂｏｏｋｓ；ｅｌｅｃｔｒｏｎｉｃ　ｂｏｏｋ　ｒｅａｄｅｒｓ；ｈｅａｄｐｈｏｎｅｓ；ｅｌｅｃｔｒｉｃａｌ　ｐｏｗｅｒ　ａｄａｐｔｏｒｓ；ｅｌｅｃｔｒｉｃ　ｃａｂｌｅｓ；ｃａｓｅｓ，ｈｏｌｄｅｒｓ　ａｎｄ　ｃａｒｒｉｅｒｓ　ａｄａｐｔｅｄ　ｆｏｒ　ｍｏｂｉｌｅ　ｐｈｏｎｅｓ，ｃｏｍｐｕｔｅｒｓ，ｃａｍｅｒａｓ；ｃａｓｅｓ　ａｄａｐｔｅｄ　ｆｏｒ　ｅｌｅｃｔｒｏｎｉｃ　ｅｑｕｉｐｍｅｎｔ；ｃｏｎｎｅｃｔｉｏｎ　ｄｅｖｉｃｅｓ　ｆｏｒ　ｕｓｅ　ｉｎ　ｆｕｎｃｔｉｏｎ　ｅｎｈａｎｃｅｍｅｎｔ　ｏｆ　ｍｏｂｉｌｅ　ｔｅｌｅｐｈｏｎｅｓ，ｕｓｂ　ｆｌａｓｈ　ｄｒｉｖｅｓ；ｐｒｏｊｅｃｔｉｏｎ　ｓｃｒｅｅｎｓ；ａｃｃｅｓｓｏｒｉｅｓ　ａｎｄ　ｅｑｕｉｐｍｅｎｔ　ｆｏｒ　ｍｏｂｉｌｅ　ｐｈｏｎｅｓ，ｃｏｍｐｕｔｅｒｓ，ｔａｂｌｅｔ　ｃｏｍｐｕｔｅｒｓ　ａｎｄ　ｐｅｒｓｏｎａｌ　ｃｏｍｍｕｎｉｃａｔｉｏｎｓ　ｄｅｖｉｃｅｓ；ｃｏｎｓｔｉｔｕｅｎｔ　ｐａｒｔｓ　ａｎｄ　ｆｉｔｔｉｎｇｓ　ｆｏｒ　ｔｈｅ　ａｆｏｒｅｓａｉｄ　ｇｏｏｄｓ；ｍｅｍｏｒｙ　ｃａｒｄｓ，ｎａｍｅｌｙ　ｓｄ　ａｎｄ　ｍｉｃｒｏ　ｓｄ；ｐｅｄｏｍｅｔｅｒｓ；ｅｌｅｃｔｒｏｎｉｃ　ａｐｐａｒａｔｕｓ　ｗｏｒｎ　ｏｎ　ａｎ　ａｒｍｂａｎｄ　ｏｎ　ｔｈｅ　ｗｒｉｓｔ　ｏｒ　ｕｐｐｅｒ　ａｒｍ　ｆｏｒ　ｃｏｌｌｅｃｔｉｎｇ　ａｎｄ　ｐｒｏｃｅｓｓｉｎｇ　ｇｅｏｇｒａｐｈｉｃａｌ　ｐｏｓｉｔｉｏｎ，ｍｅａｓｕｒｉｎｇ　ｉｎｓｔｒｕｍｅｎｔｓ　ｆｏｒ　ｔｉｍｅ　ａｎｄ　ｐｕｌｓｅ　ｏｆ　ｔｈｅ　ｂｌｏｏｄ　ｆｌｏｗｉｎｇ　ｔｈｒｏｕｇｈ　ｔｈｅ　ｒａｄｉａｌ　ａｒｔｅｒｙ，ｍｏｂｉｌｅ　ｔｅｌｅｐｈｏｎｅｓ，ｐｅｄｏｍｅｔｅｒｓ；ｍｏｎｉｔｏｒｉｎｇ　ａｐｐａｒａｔｕｓ；ｄｏｏｒ　ｐｈｏｎｅｓ，ｉｎｃｌｕｄｉｎｇ　ｗｉｔｈ　ｃｏｍｐｏｎｅｎｔｓ　ｆｏｒ　ｔｈｅ　ｔｒａｎｓｍｉｓｓｉｏｎ　ｏｆ　ｍｏｖｉｎｇ　ｉｍａｇｅｓ．」及び第２８類「Ｅｌｅｃｔｒｏｎｉｃ　ｇａｍｅｓ　ａｎｄ　ｐｌａｙｔｈｉｎｇｓ；ｈａｎｄｈｅｌｄ　ｅｌｅｃｔｒｏｎｉｃ　ｇａｍｅｓ　ａｐｐａｒａｔｕｓ；ｃｏｍｐｕｔｅｒ　ｇａｍｅｓ　ｅｑｕｉｐｍｅｎｔ　ａｄａｐｔｅｄ　ｆｏｒ　ｕｓｅ　ｗｉｔｈ　ａｎ　ｅｘｔｅｒｎａｌ　ｄｉｓｐｌａｙ　ｓｃｒｅｅｎ　ｏｒ　ｍｏｎｉｔｏｒ；ｃａｓｅｓ，ｈｏｌｄｅｒｓ　ａｎｄ　ｃａｒｒｉｅｒｓ　ａｄａｐｔｅｄ　ｆｏｒ　ｐｅｒｓｏｎａｌ　ｅｌｅｃｔｒｏｎｉｃ　ｇａｍｅｓ　ｍａｃｈｉｎｅｓ；ａｃｃｅｓｓｏｒｉｅｓ　ａｎｄ　ｅｑｕｉｐｍｅｎｔ　ｆｏｒ　ｇａｍｅｓ　ｃｏｎｓｏｌｅｓ；ｐａｒｔｓ　ａｎｄ　ｆｉｔｔｉｎｇｓ　ｆｏｒ　ａｌｌ　ｔｈｅ　ａｆｏｒｅｓａｉｄ　ｇｏｏｄｓ．」とされたものである。
２　原査定の拒絶の理由の要点
　原査定は、以下の（１）及び（２）のとおり、認定、判断し、本願を拒絶したものである。
　（１）本願は、その指定商品中、第９類において指定する商品には、その内容及び範囲を明確に指定したものとは認められない商品が含まれているから、商標法第６条第１項の要件を具備しない。
　（２）商標登録を受けることができる商標は、現在使用しているもの又は近い将来使用をするものであると解されるところ、本願は、第９類において広い範囲にわたる商品を指定しているため、このような状況の下では、出願人が出願に係る商標をそれらの指定商品の全てについて使用しているか、又は近い将来使用をすることについて疑義があるから、本願商標は、商標法第３条第１項柱書の要件を具備しない。
３　当審の判断
　本願は、その指定商品について、前記１のとおり限定された結果、商品の内容及び範囲が明確となり、また、出願人が、その指定商品について、本願商標を使用しているか、又は近い将来使用することについて疑義がなくなったものと認められる。
　したがって、本願が商標法第６条第１項の要件を具備せず、また、本願商標が同法第３条第１項柱書の要件を具備しないものとして本願を拒絶した原査定の拒絶の理由は、解消した。
　その他、本願について拒絶の理由を発見しない。
　よって、結論のとおり審決する。